(57)【要約】【課題】  ポンプとバルブブロックを接続する配管を露出することなく液圧装置の軽量化及び省スペース化を図る。【解決手段】  電動モータ１１と、電動モータ１１により駆動される液圧ポンプ２０と、液圧ポンプ２０から作動液が供給される内部バルブブロック１３と、液圧ポンプ２０に供給する作動油を収容するタンク１２と、内部バルブブロック１３から作動液が配管１５を介して送り込まれる外部バルブブロック１４がタンク１２に連設され、外部バルブブロック１４から作動液が外部のシリンダＡ、Ｂに供給される液圧装置であり、配管１５はタンク１２を貫通して設けられる。【選択図】        図２
2006322417.tif 000002
【特許請求の範囲】
【請求項１】
少なくとも電動モータとこの電動モータにより駆動される液圧ポンプとからなる内部構成部品と、液圧ポンプに供給する作動油を収容するタンクと、作動液が配管を介して液圧ポンプから送り込まれる外部バルブブロックがタンクに連設され、外部バルブブロックから作動液が外部負荷に供給される液圧装置において、前記配管は前記タンクを貫通して設けられたことを特徴とする液圧装置。
【請求項２】
前記内部構成部品に内部バルブブロックを有し、内部バルブブロックに前記液圧ポンプから作動液を送り込むとともに、内部バルブブロックから配管を介して外部バルブブロックに作動液が送り込まれることを特徴とする請求項１に記載された液圧装置。
【発明の詳細な説明】
【技術分野】
【０００１】
本発明は、例えば液圧システムの液圧源等に好適に使用される液圧装置に関する。
【背景技術】
【０００２】
従来、液圧システムの液圧源等に好適に使用される液圧装置は、図７で示すように、内部構成部品として、電動モータ５１や液圧ポンプ６０は、泥よけや騒音防止のためタンク５２とカバー５６で覆われるよう配置されていた。また、電動モータ５１や液圧ポンプ６０の近傍に配置されるバルブブロック５３も一緒に内部構成部品として配置されていた。
【０００３】
しかし、バルブブロック５３を内部構成部品として配置した場合、内部構成部品が大型化し、それを覆うカバー５６やタンク５２等も大型化し、装置全体の大型化と重量化を伴う。また、ユーザニーズに応じて、バルブブロックの一部機能を交換する必要がある。
【０００４】
そこで、装置の小型化やバルブブロック交換の簡便化のため、図８や図９に示すように、必ずしも電動モータ５１や液圧ポンプ６０の近傍に配置する必要が無いバルブブロック５３の一部機能や全体を、タンク５２側方にブロックバルブ５４として配置する構成が採用されている。
【特許文献１】特開２００１−４１１６９号公報
【発明の開示】
【発明が解決しようとする課題】
【０００５】
しかしながら、内部構成部品とタンク５２側方のバブルブロック５４とを接続する配管５５の一部はカバー５６やタンク５２で覆うことができず、装置の外部に露出するので、配管５５が損傷したり、配管５５が占める余分なスペースが必要となり、車載時の問題点となっていた。
【０００６】
本発明は上記課題を解決することのできる液圧装置を提供することを目的とする。
【課題を解決するための手段】
【０００７】
上記課題を解決するため、本発明は、少なくとも電動モータとこの電動モータにより駆動される液圧ポンプとからなる内部構成部品と、液圧ポンプに供給する作動油を収容するタンクと、作動液が配管を介して液圧ポンプから送り込まれる外部バルブブロックがタンクに連設され、外部バルブブロックから作動液が外部負荷に供給される液圧装置において、前記配管は前記タンクを貫通して設けられたことを特徴とする。
【０００８】
また、上記構成において、前記内部構成部品に内部バルブブロックを有し、内部バルブブロックに前記液圧ポンプから作動液を送り込むとともに、内部バルブブロックから配管を介して外部バルブブロックに作動液が送り込まれるよう構成したことも本発明に含まれる。
【発明の効果】
【０００９】
本発明では、バルブブロックの少なくとも一部を内部構成部品の外部に出すことができるので、内部構成部品を覆うタンクやカバーを不要に大きくする必要がなく、装置の小型化や軽量化、またコストダウンを図ることができ、しかも、配管が露出しないので、配管の損傷することがなくなり、また、余分なスペースを要しないので、車載時に好適な液圧装置を提供できる。
【発明を実施するための最良の形態】
【００１０】
以下に、本発明の第１実施形態について図１〜４を用いて述べる。図１の液圧装置は、バルブブロックが内部バルブブロック１３と外部バルブブロック１４に分割され、それぞれタンク１２の側方に配置される。この種の液圧装置は、例えば、図４に示したとおり、２つのシリンダＡ、Ｂに圧油を供給する液圧源として使用され、電動モータ１１によって駆動される１つの液圧ポンプ２０によってタンク１２から吸い込まれた作動油を、リリーフ弁３８や切換弁３５などを有した内部バルブブロック１３を介して、さらに、２つのシリンダＡ、Ｂへ作動油の供給、排出を切り換える切換弁３４、３６、３７を有した外部バルブブロック１４を介して、シリンダＡ、Ｂに接続される。これら内部バルブブロック１３と外部バルブブロック１４とは配管１５によって接続される。なお、フロートコントロールバルブ３９、絞り４０はスピード調整のために設けられ、また、リリーフ弁３８は、回路が所定圧以上になると作動液をタンク１２に戻すために設けられるものである。
【００１１】
そして、内部バルブブロック１３は、電動モータ１１や液圧ポンプ２０と共に内部構成部品として、タンク１２とカバー１６、１６−１、１６−２で囲まれる。また、外部バルブブロック１４はタンク１２に固定される。そして、内部バルブブロック１３と外部バルブブロック１４を接続する配管１５は、図２及び図３で示したとおり、タンク１２の内部に配設され、その両端側でそれぞれ両バルブブロック１３、１４と連結されるが、タンク１２と両バルブブロック１３、１４とはホース等の配管で連結されてもよい。また、図３に示したとおり、外部バルブブロック１４はプレート１７とカバー１８に囲まれてタンク１２に固定されてもよく、プレート１７にも配管が形成されている。
【００１２】
このようなタンク１２の製作方法として、ダイキャストにより配管１５を有したタンクベース１２とタンクフタとをそれぞれ別々に製造した後、ボルト等で固定してタンク１２を構成する。また、作動液用の配管１５と共に、配線用の配線穴１９を同様に設けることもでき、内部バルブブロック１３の切換弁や電動モータを駆動する電気信号用の配線を通すことができる。なお、配管１５及び配線穴１９はともに、タンクベース１２Ａ側とタンクフタ１２Ｂ側の接合面にＯリング等のシール材が設けられており、作動油の混入が防止される。
【００１３】
次に、上記した液圧装置を駆動する際、コンタクタ３１を作動させると電動モータ１１が回転し電動モータ１１と回転軸が連結されている液圧ポンプ２０が回転する。液圧ポンプ２０はタンク１２から液を吸い込み、内部バルブブロック１３及び外部バルブブロック１４へ液を供給する。液圧ポンプ２０の回転と同時に切換弁３４を切り換えると外部バルブブロック１４のＡポートへ圧液が送られ、ホースで繋がったシリンダＡが伸びる。次に、液圧ポンプ２０の回転と同時に切換弁３６を切り換えると外部バルブブロック１４のＢ、Ｃポートへ圧液が送られ、圧力差の関係でホースの繋がったシリンダＢが伸びる。
【００１４】
また、液圧ポンプ２０の回転と同時に切換弁３７を切り換えると、Ｂポートへ作動液が送られ、ホースで繋がったシリンダＢが縮む。また、切換弁３５を切り換えると、自重でシリンダＡが縮み、Ａポートから作動液がフロートコントロールバルブ３９を介してタンク１２に戻る。
【００１５】
なお、上記実施例では、図３に示したとおり、タンクベース１２Ａ側の配管１５Ａとタンクフタ１２Ｂ側の配管１５Ｂとはそれぞれの端面でＯリングを介して接合したが、図５に示したとおり、別途、接続用の配管１５Ｃを使用して配管１５Ａ、１５Ｂどうしを連結してもよい。
【００１６】
さらに、図６に示したような変形実施例についても本発明に含まれ、内部バルブブロック１３を外部バルブブロック１４と一体化し、１つのバルブブロックとした点に特徴を有する。このような構成であっても、液圧ポンプ２０とバルブブロックとを連結する配管は、図２、図３、及び図５に示したものと同様、タンク１２内部に設けることで、装置の小型化や軽量化、またコストダウンを図ることができ、しかも、配管が露出しないので、配管の損傷することがなくなり、また、余分なスペースを要しないので、車載時に好適な液圧装置を提供できるという格別な効果を得ることができる。
【図面の簡単な説明】
【００１７】
【図１】本発明の実施例に係る液圧装置を示す図
【図２】図１の液圧装置の側面断面図（１）
【図３】図１の液圧装置の側面断面図（２）
【図４】本発明の実施例に係る液圧装置のブロック図
【図５】本発明のタンク内部の配管の変形実施例の側面断面図
【図６】本発明の変形実施例係る液圧装置を示す図
【図７】従来の液圧装置を示す図（１）
【図８】従来の液圧装置を示す図（２）
【図９】従来の液圧装置を示す図（３）
【符号の説明】
【００１８】
１１  電動モータ
１２  タンク
１３  内部バルブブロック
１４  外部バルブブロック
１５  配管
２０  液圧ポンプ
Ａ、Ｂ  シリンダ
【図１】
2006322417.tif 000003
【図２】
2006322417.tif 000004
【図３】
2006322417.tif 000005
【図４】
2006322417.tif 000006
【図５】
2006322417.tif 000007
【図６】
2006322417.tif 000008
【図７】
2006322417.tif 000009
【図８】
2006322417.tif 000010
【図９】
2006322417.tif 000011